(57)【要約】【課題】基板の冷却を妨げないようにケーブルを配置する。【解決手段】本発明のプロジェクタは、光源と、光源から放出される光を用いて画像投射を制御するコントロールユニットと、基板２１と、基板２１を支持する柱状部２７が底面部に設けられた支持部材２２と、基板２１に隣接するファンと、基板２１とファンとの間を通って基板２１に接続されるケーブル２０と、を有する。支持部材２２には、ケーブル２０とファンとの間を隔てる壁部２０が形成されている。【選択図】  図３
2016090696.tif 000002
【特許請求の範囲】
【請求項１】
光源と、
前記光源から放出される光を用いて画像投射を制御するコントロールユニットと、
基板と、
前記基板を支持する柱状部が底面部に設けられた支持部材と、
前記基板に隣接するファンと、
前記基板と前記ファンとの間を通って前記基板に接続されるケーブルと、を有し、
前記支持部材に、前記ケーブルと前記ファンとの間を隔てる壁部が形成されている、プロジェクタ。
【請求項２】
前記壁部の高さが、前記底面部からの前記基板の高さと同じである、請求項１に記載のプロジェクタ。
【請求項３】
前記壁部が、前記ケーブルの一部を覆うように前記基板側に曲がった第１の曲げ部を備える、請求項２に記載のプロジェクタ。
【請求項４】
前記第１の曲げ部に前記基板の周縁部が接触している、請求項３に記載のプロジェクタ。
【請求項５】
開口部をそれぞれ備える２つの前記ファンが並べられ、
前記基板と前記ケーブルとの接続部にコネクタが設けられ、該コネクタが、前記２つのファンのそれぞれの前記開口部の周縁部領域に対向する位置に配置されている、請求項４に記載のプロジェクタ。
【請求項６】
前記基板が光源を駆動するドライバ基板であり、前記ケーブルが前記ドライバ基板に電力を供給するための電源ケーブルである、請求項５に記載のプロジェクタ。
【請求項７】
前記壁部の上部両端に、丸みを持つように外側に曲がった第２の曲げ部が形成されている、請求項６に記載のプロジェクタ。
【請求項８】
前記光源がレーザ光を放出する、請求項１に記載のプロジェクタ。
【発明の詳細な説明】
【技術分野】
【０００１】
本発明は、プロジェクタに関する。
【背景技術】
【０００２】
プロジェクタには、一般的に、電力機器を駆動するためのドライバ基板が設けられている。ドライバ基板には、電力供給や信号伝送のためのケーブルが接続されている。このようなケーブルを保持する部材としてクランパが知られている（特許文献１参照）。
【０００３】
図６は、本発明に関連するプロジェクタの一部を示す斜視図である。
【０００４】
図６に示すドライバ基板１２１は、光源（不図示）を駆動する。ドライバ基板１２１には、電源ケーブル１１９の一端が接続されている。電源ケーブル１１９の他端は、電源ユニット（不図示）に接続されている。
【０００５】
ドライバ基板１２１には、種々の電子部品が搭載されている。これらの電子部品は、光源を駆動する際に発熱する。そのため、発熱した電子部品を冷却するためのファン１１６がドライバ基板１２１に隣接して配置される。
【０００６】
図６に示すプロジェクタでは、小型化のために電源ケーブル１１９は、ドライバ基板１２１とファン１１６との間に形成された狭いスペースを通っている。このスペースに電源ケーブル１１９を配置するため、電源ケーブル１１９は２つのクランパ１２０に保持されている。クランパ１２０は、ドライバ基板１２１を支持する支持部材１２２に取り付けられている。
【先行技術文献】
【特許文献】
【０００７】
【特許文献１】国際公開第２０１２／１０８０３７号
【発明の概要】
【発明が解決しようとする課題】
【０００８】
図６に示すように電源ケーブル１１９をクランパ１２０で保持する場合、電源ケーブル１１９は、ドライバ基板１２１とファン１１６との間で全体的に固定されておらず、部分的に保持されている。そのため、ファン１１６の排気動作に伴って、電源ケーブル１１９がファン１１６に接触する事態や、巻き込まれる事態が想定される。この場合、ドライバ基板１２１の冷却に支障が生じるおそれがある。
【０００９】
上記のような問題は、光源駆動用のドライバ基板と電源ケーブルに限らず、用途が光源駆動以外の基板や用途が電力供給以外のケーブルでも起こり得る。
【００１０】
そこで、本発明は、基板の冷却を妨げないようにケーブルを配置することが可能な技術を提供することを目的とする。
【課題を解決するための手段】
【００１１】
上記目的を達成するために、本発明のプロジェクタは、光源と、前記光源から放出される光を用いて画像投射を制御するコントロールユニットと、基板と、前記基板を支持する柱状部が底面部に設けられた支持部材と、前記基板に隣接するファンと、前記基板と前記ファンとの間を通って前記基板に接続されるケーブルと、を有し、前記支持部材に、前記ケーブルと前記ファンとの間を隔てる壁部が形成されている。
【発明の効果】
【００１２】
本発明によれば、基板の冷却を妨げないようにケーブルを配置することが可能となる。
【図面の簡単な説明】
【００１３】
【図１】本発明のプロジェクタの一実施形態を示す斜視図である。
【図２】ファンの周辺およびドライバユニットの周辺を拡大した斜視図である。
【図３】ドライバユニットの斜視図である。
【図４】図３に示すドライバユニットの三面図である。
【図５】支持部材に設けられた壁部の拡大図である。
【図６】本発明に関連するプロジェクタの一部を示す斜視図である。
【発明を実施するための形態】
【００１４】
図１は、本発明のプロジェクタの一実施形態を示す斜視図である。本実施形態のプロジェクタ１は、光源ユニット１１と、ドライバユニット１２と、電源ユニット１３と、コントロールユニット１４と、電気ボックス１５と、ファン１６と、を有する。なお、図１では、プロジェクタ１の主要な部分を示している。
【００１５】
光源ユニット１１は、レーザ光を放出する。ドライバユニット１２は、光源ユニット１１に電力を供給したり、駆動信号を伝送したりする。電源ユニット１３は、各ユニットに電力を供給する。コントロールユニット１４は、ユーザの操作に基づいて光源ユニット１１から放出された光を用いた画像投射を制御する。電気ボックス１５は、他のユニットに電力を供給したり、信号を伝送したりする。
【００１６】
コントロールユニット１４と電気ボックス１５との間には吸気部１７が設けられている。また、光源ユニット１１の近傍には排気部１８が設けられている。排気部１８にファン１６は配置されている。ファン１６が駆動すると、吸気部１７から流入した外気がプロジェクタ１の内部を通ってファン１６から排気される。これにより、プロジェクタ１の内部で発生した熱が放出される。
【００１７】
図２（ａ）は、ファン１６の周辺を拡大した斜視図である。図２（ｂ）は、ドライバユニット１２の周辺を拡大した斜視図である。本実施形態では、図２（ａ）に示すように、開口部をそれぞれ備える２つのファン１６ａ、１６ｂが排気方向に垂直な方向に並んで固定されている。ファン１６ａとファン１６ｂのそれぞれの開口部の周縁部領域Ａは、排気流路から外れた領域である。
【００１８】
また、本実施形態では、図２（ｂ）に示すように、ドライバユニット１２は、ドライバユニット１２ａと、ドライバユニット１２ｂとで構成されている。ドライバユニット１２ａとドライバユニット１２ｂとは、後述する電源ケーブルの配置構造が同じであるので、以下、ドライバユニット１２ａについて説明する。
【００１９】
図３は、図２（ｂ）に示すドライバユニット１２ａを内側から見た斜視図である。図４は、図３に示すドライバユニット１２ａの三面図である。具体的には、図４（ａ）は上面図であり、図４（ｂ）は正面図であり、図４（ｃ）は側面図である。
【００２０】
図３、４に示すドライバユニット１２ａは、ドライバ基板２１と、ドライバ基板２１を支持する支持部材２２とを有する。ドライバ基板２１には、複数の回路基板２３が立位状態で固定されている。各回路基板２３には、光源ユニット１１を駆動するための電子部品が搭載されている。また、ドライバ基板２１にはコネクタ２４が設けられている。コネクタ２４には、電源ケーブル１９の一端が接続されている。電源ケーブル１９は、ファン１６ａとドライバ基板２１との間を通って電源ユニット１３まで延びている。ドライバ基板２１は、電源ユニット１３から電源ケーブル１９を通じて供給された電力で光源ユニット１１を駆動する。
【００２１】
支持部材２２には、ドライバ基板２１をファン１６ａに隣接する位置に固定するための固定部２６と、電源ケーブル１９とファン１６ａとの間を隔てる壁部２０とが形成されている。さらに、支持部材２２の底面部には、ドライバ基板２１を支持するための４つの柱状部２７が設けられている。本実施形態では、柱状部２７は、その内部にネジ穴が形成された円柱状の部材である。
【００２２】
壁部２０の奥行Ｌ（図４（ａ）参照）は、プロジェクタ１の小型化のために電源ケーブル１９を通すのに必要な最小限の長さである。壁部２０の高さＨ（図４（ｂ）参照）は、支持部材２２の底面部からのドライバ基板２１の高さとほぼ同じである。
【００２３】
図５は、壁部２０の拡大図である。図５（ａ）の右上に示す図は、左下の図に示された領域Ｂの拡大図である。本実施形態では、壁部２０は、収納部２０ａと、曲げ部２０ｂ（第１の曲げ部）と、曲げ部２０ｃ（第２の曲げ部）とを備える。収納部２０ａには、電源ケーブル１９が収納される。曲げ部２０ｂは、電源ケーブル１９の一部を覆うようにドライバ基板２１側において曲がっている。曲げ部２０ｃは、図５（ｂ）に示すように、壁部２０の上部両端で丸みを持つように外側に曲がっている。
【００２４】
本実施形態では、収納部２０ａに電源ケーブル１９を収納した後、支持部材２２に設けられた突起部２５（図５（ａ））と曲げ部２０ｂにドライバ基板２１の周縁部を接触させることによってドライバ基板２１を位置決めしている。その後、ドライバ基板２１は、４つの柱状部２７でねじ止めされる。ねじ止め位置は、排気方向の上流側と下流側で異なるので、コネクタ２４の位置は常に下流側になる。
【００２５】
上述した本実施形態のプロジェクタによれば、支持部材２２に壁部２０が形成されている。この壁部２０は、電源ケーブル１９とファン１６ａとの間を隔てるので、電源ケーブル１９がファン１６ａに接触する事態や巻き込まれる事態を回避できる。これにより、ドライバ基板２１の冷却を妨げることなく電源ケーブル１９を配置することが可能となる。
【００２６】
また、本実施形態では、壁部２０の高さが、支持部材２の底面部からのドライバ基板２１の高さとほぼ同じであるので、壁部２０や電源ケーブル１９が排気流路に入り込んでドライバ基板２１の冷却を妨げる事態を回避することができる。さらに、コネクタ２４の配置を、図２（ａ）に示す周縁部領域Ａのような排気流路から外れた領域に対向する位置にすることによって、コネクタ２４がドライバ基板２１の冷却を妨げる事態を回避することができる。
【００２７】
また、本実施形態では、壁部２０が曲げ部２０ｂを備えているので、電源ケーブル１９がドライバ基板２１と収納部２０ａとの隙間から抜け出ることを防止できる。さらに、曲げ部２０ｂにドライバ基板２１の周縁部を接触させることによって、曲げ部２０ｂをドライバ基板２１の位置決めに用いることが可能となる。
【００２８】
また、本実施形態では、壁部２０に曲げ部２０ｃが形成されているので、電源ケーブル１９を収納部２０ａに収納する時にバリ等により電源ケーブル１９が傷つくのを防ぐことが可能となる。
【００２９】
なお、本実施形態では、光源ユニット１１を駆動するドライバ基板２１と、ドライバ基板２１に電力を供給する電源ケーブル１９と、を備える構成であった。しかし、本発明では、他の用途の基板やケーブルを備える構成に適用してもよい。
【符号の説明】
【００３０】
１  プロジェクタ
１１  光源ユニット
１２、１２ａ、１２ｂ  ドライバユニット
１３  電源ユニット
１４  コントロールユニット
１５  電気ボックス
１６  ファン
１７  吸気部
１８  排気部
１９  電源ケーブル（ケーブル）
２０  壁部
２０ａ  収納部
２０ｂ  曲げ部（第１の曲げ部）
２０ｃ  曲げ部（第２の曲げ部）
２１  ドライバ基板
２２  支持部材
２３  回路基板
２４  コネクタ
２５  突起部
２６  固定部
２７  柱状部
１１６  ファン
１１９  電源ケーブル
１２０  クランパ
１２１  ドライバ基板
１２２  支持部材
【図１】
2016090696.tif 000003
【図２】
2016090696.tif 000004
【図３】
2016090696.tif 000005
【図４】
2016090696.tif 000006
【図５】
2016090696.tif 000007
【図６】
2016090696.tif 000008